(57)【特許請求の範囲】
【請求項１】
ＩＳＤＮ網または、専用線および前記ＩＳＤＮ網のいずれか一方に回線接続し通信を行う通信装置と、前記ＩＳＤＮ網に接続され当該ＩＳＤＮ網を使用する１つ以上のＩＳＤＮ端末と、を有するバックアップ回線制御システムであって、
前記ＩＳＤＮ網は、
データを送受信する２本のＢチャネルと制御信号を送受信するＤチャネルとを有し、
前記通信装置は、
障害検出部と、ＩＳＤＮ接続部と、Ｄチャネル制御部と、回線切替部と、通信制御部とを有し、前記障害検出部は前記専用線に発生した障害を検出し、前記ＩＳＤＮ接続部は前記ＩＳＤＮ網とのインタフェース接続とＩＳＤＮ網の２つのＢチャネルおよびＤチャネルの分離多重を行い、前記Ｄチャネル制御部は前記ＩＳＤＮ網のＤチャネルを使用して前記ＩＳＤＮ網との間の呼制御を行い、前記回線切替部は前記通信装置が使用する回線である専用線とＩＳＤＮ網との切り替えを行い、前記通信制御部はデータの送受信制御を行い、
前記ＩＳＤＮ端末は、
ＩＳＤＮ接続部と、Ｄチャネル制御部と、通信制御部とを有し、前記ＩＳＤＮ端末のＩＳＤＮ接続部は、前記ＩＳＤＮ網とのインタフェース接続と、ＩＳＤＮ網の２つのＢチャネルおよびＤの分離多重を行い、前記Ｄチャネル制御部は前記ＩＳＤＮ網のＤチャネルを使用して前記ＩＳＤＮ網との間で呼制御を行い、前記通信制御部はデータの送受信制御を行い、
前記通信装置から前記Ｂチャネルに対する接続要求を前記Ｄチャネル制御部が受けると、前記２つのＢチャネルの使用状況を検知し、前記接続要求されているＢチャネルが前記１以上のＩＳＤＮ端末により使用されている場合は、前記Ｂチャネルを使用しているＩＳＤＮ端末に前記使用されているＢチャネルに対して解放要求を行って通信を中止させて前記使用されているＢチャネルを解放し、前記通信装置に対して、前記Ｂチャネルが解放された旨の通知を行い、
前記通信装置は、
前記専用線の状況を検知し、前記専用線における障害を検出した際に前記Ｂチャネルに対する接続要求を行い、前記ＩＳＤＮ網から、前記Ｂチャネルが解放された旨の通知を受け取ると、前記ＩＳＤＮ網に対して前記Ｂチャネルの接続要求を再度行い、回線接続を前記ＩＳＤＮ網に設定することを特徴とするバックアップ回線制御システム。
【請求項２】
ＩＳＤＮ網または、専用線および前記ＩＳＤＮ網のいずれか一方に回線接続し通信を行う通信装置と、前記ＩＳＤＮ網に接続され当該ＩＳＤＮ網を使用する１つ以上のＩＳＤＮ端末と、を有するバックアップ回線制御システムを用いたバックアップ回線制御方法であって、
前記ＩＳＤＮ網は、データを送受信する２本のＢチャネルと制御信号を送受信するＤチャネルとを有し、前記通信装置は、障害検出部と、ＩＳＤＮ接続部と、Ｄチャネル制御部と、回線切替部と、通信制御部とを有し、前記ＩＳＤＮ端末は、ＩＳＤＮ接続部と、Ｄチャネル制御部と、通信制御部とを有し、
前記通信装置は、
前記専用線に発生した障害を検出する障害検出工程と、
該障害検出工程により前記専用線における障害を検出した場合、前記Ｂチャネルに接続要求する呼設定メッセージを送信する第１の呼設定メッセージ送信工程と、
該第１の呼設定メッセージ送信工程により接続要求したＢチャネルが解放されていることを示す解放メッセージを受信した場合、前記呼設定メッセージを再度送信する第２の呼設定メッセージ送信工程と、
前記ＩＳＤＮ網に接続することが許可されたことを示す接続メッセージを受信した場合、前記ＩＳＤＮ網に回線接続を設定するＩＳＤＮ網接続工程と、を有し、
前記ＩＳＤＮ網は、
前記呼設定メッセージ工程により前記呼設定メッセージを受信した際、前記接続要求されているＢチャネルが前記ＩＳＤＮ端末に接続されているか否かを判定するＢチャネル判定工程と、
該Ｂチャネル判定工程により前記要求されているＢチャネルが前記ＩＳＤＮ端末に接続されていると判定された場合、前記要求されているＢチャネルが使用中であることを示す解放完了メッセージを、前記通信装置と前記ＩＳＤＮ端末とに送信する解放完了メッセージ送信工程と、
前記ＩＳＤＮ端末と前記接続されているＢチャネルとの接続の切断を要求する切断メッセージを、前記ＩＳＤＮ端末から受信した場合、前記接続されているＢチャネルを解放するＢチャネル解放工程と、
該Ｂチャネル解放工程により前記接続されているＢチャネルが解放された場合、前記解放メッセージを前記通信装置と前記ＩＳＤＮ端末とに送信する解放メッセージ送信工程と、
前記Ｂチャネル判定工程により前記要求されているＢチャネルが解放されていると判定された場合、前記接続メッセージを、前記通信装置に送信する接続メッセージ送信工程と、を有し、
前記ＩＳＤＮ端末は、
前記解放完了メッセージを受信した場合、前記切断メッセージを送信する切断メッセージ送信工程を有し、
前記解放完了メッセージ送信工程は、
前記Ｂチャネル判定工程により前記通信端末から接続要求されているＢチャネルの本数が、前記解放されているＢチャネルの本数よりも多いと判定された場合、前記解放完了メッセージを前記通信装置と前記ＩＳＤＮ端末とに送信することを特徴とするバックアップ回線制御方法。
【請求項３】
ＩＳＤＮ網または、専用線および前記ＩＳＤＮ網のいずれか一方に回線接続し通信を行う通信装置と、前記ＩＳＤＮ網に接続され当該ＩＳＤＮ網を使用する１つ以上のＩＳＤＮ端末と、を有するバックアップ回線制御システムに処理を実行させるためのプログラムであって、
前記ＩＳＤＮ網は、データを送受信する２本のＢチャネルと制御信号を送受信するＤチャネルとを有し、前記通信装置は、障害検出部と、ＩＳＤＮ接続部と、Ｄチャネル制御部と、回線切替部と、通信制御部とを有し、前記ＩＳＤＮ端末は、ＩＳＤＮ接続部と、Ｄチャネル制御部と、通信制御部とを有し、
前記通信装置に、
前記専用線に発生した障害を検出する障害検出処理と、
該障害検出処理により前記専用線における障害を検出した場合、前記Ｂチャネルに接続要求する呼設定メッセージを送信する第１の呼設定メッセージ送信処理と、
該第１の呼設定メッセージ送信処理により接続要求したＢチャネルが解放されていることを示す解放メッセージを受信した場合、前記呼設定メッセージを再度送信する第２の呼設定メッセージ送信処理と、
前記ＩＳＤＮ網に接続することが許可されたことを示す接続メッセージを受信した場合、前記ＩＳＤＮ網に回線接続を設定するＩＳＤＮ網接続処理と、を実行させ、
前記ＩＳＤＮ網に、
前記呼設定メッセージ処理により前記呼設定メッセージを受信した際、前記接続要求されているＢチャネルが前記ＩＳＤＮ端末に接続されているか否かを判定するＢチャネル判定処理と、
該Ｂチャネル判定処理により前記要求されているＢチャネルが前記ＩＳＤＮ端末に接続されていると判定された場合、前記要求されているＢチャネルが使用中であることを示す解放完了メッセージを、前記通信装置と前記ＩＳＤＮ端末とに送信する解放完了メッセージ送信処理と、
前記ＩＳＤＮ端末と前記接続されているＢチャネルとの接続の切断を要求する切断メッセージを、前記ＩＳＤＮ端末から受信した場合、前記接続されているＢチャネルを解放するＢチャネル解放処理と、
該Ｂチャネル解放処理により前記接続されているＢチャネルが解放された場合、前記解放メッセージを前記通信装置と前記ＩＳＤＮ端末とに送信する解放メッセージ送信処理と、
前記Ｂチャネル判定処理により前記要求されているＢチャネルが解放されていると判定された場合、前記接続メッセージを、前記通信装置に送信する接続メッセージ送信処理と、を実行させ、
前記ＩＳＤＮ端末に、
前記解放完了メッセージを受信した場合、前記切断メッセージを送信する切断メッセージ送信処理とを有し、
前記呼設定メッセージと、前記解放完了メッセージと、前記切断メッセージと、前記解放メッセージと、前記接続メッセージとは、
前記Ｄチャネル上の呼制御手順を用いて送受信され、
前記解放完了メッセージ送信処理は、
前記Ｂチャネル判定処理により前記通信端末から接続要求されているＢチャネルの本数が、前記解放されているＢチャネルの本数よりも多いと判定された場合、前記解放完了メッセージを前記通信装置と前記ＩＳＤＮ端末とに送信し、
前記解放完了メッセージ送信処理は、
前記Ｂチャネル判定処理により前記通信端末から接続要求されているＢチャネルの本数が、前記解放されているＢチャネルの本数よりも多いと判定された場合、前記解放完了メッセージを前記通信装置と前記ＩＳＤＮ端末とに送信することを特徴とするプログラム。
【発明の詳細な説明】
【０００１】
【発明の属する技術分野】
本発明は、バックアップ回線制御システム、バックアップ回線制御方法、およびそのプログラムに関し、特に、専用線障害発生時に、通信装置のバックアップ回線としてＩＳＤＮ回線を使用するバックアップ回線制御システム、バックアップ回線制御方法、およびそのプログラムに関する。
【０００２】
【従来の技術】
専用線を用いて相互通信を行っている端末には、専用線に断線等の故障が発生した場合に備えて、通常の専用線の他にバックアップ回線が設けられているものがある。上記のように、バックアップ回線としてＩＳＤＮ回線が用いられているものとしては、特開平４−２９００３２号公報が開示するところのＩＳＤＮ利用データ伝送システムにおける回線切替装置（以下、従来例１）があった。従来例１では、通常用いられている回線に障害が発生した場合、回線が通常用いられている回線からＩＳＤＮ回線に切り替えられることによって、バックアップが実行されていた。
【０００３】
また、特開平６−１７７８６５号公報が開示するところの回線切替制御装置（以下、従来例２）では、通常時には、マルチポイント接続された複数の一般端末装置がＩＳＤＮ回線を利用することが可能であった。また、従来例２では、バックアップ対象端末装置が使用する専用線に障害が生じた非常時には、ＩＳＤＮ回線は、一般端末装置から切断され、上記の専用線に代わるバックアップ回線として用いられていた。
【０００４】
【発明が解決しようとする課題】
しかしながら、従来例１では、ＩＳＤＮ回線の使用状況を検知し、回線障害時には、検知した使用状況に基づいてＩＳＤＮ回線の接続を切り替える構成が記載されていない。従って、回線障害発生時に、ＩＳＤＮ回線が他の端末に使用されている場合、ＩＳＤＮ回線をバックアップ回線として用いることは困難であった。
【０００５】
また、従来例２では、回線障害発生時に、ＩＳＤＮ回線は、上記のマルチポイント接続された複数の一般端末装置からバックアップ対象端末装置に切り替わるため、ＩＳＤＮ回線が有する２本のＢチャネルを、バックアップ対象端末装置と一般端末装置で共有することが困難であった。
【０００６】
本発明は、上記問題点に鑑みてなされたものであり、通信装置が使用している専用線の障害発生時には、通常はＩＳＤＮ端末により使用されているＩＳＤＮ網を通信装置のバックアップ回線として使用し、さらに、通信装置とＩＳＤＮ端末とがＩＳＤＮ回線を共有することが可能であるバックアップ回線制御システム、バックアップ回線制御方法、およびそのプログラムを提供することを目的とする。
【０００７】
【課題を解決するための手段】
かかる目的を達成するため、請求項１記載のバックアップ回線制御システムの発明は、ＩＳＤＮ網または、専用線および前記ＩＳＤＮ網のいずれか一方に回線接続し通信を行う通信装置と、前記ＩＳＤＮ網を使用する１つ以上のＩＳＤＮ端末と、を有するバックアップ回線制御システムであって、前記ＩＳＤＮ網は、データを送受信する２本のＢチャネルと制御信号を送受信するＤチャネルとを有し、前記通信装置は、障害検出部と、ＩＳＤＮ接続部と、Ｄチャネル制御部と、回線切替部と、通信制御部とを有し、前記障害検出部は前記専用線に発生した障害を検出し、前記ＩＳＤＮ接続部は前記ＩＳＤＮ網とのインタフェース接続とＩＳＤＮ網の２つのＢチャネルおよびＤチャネルの分離多重を行い、前記Ｄチャネル制御部は前記ＩＳＤＮ網のＤチャネルを使用して前記ＩＳＤＮ網との間の呼制御を行い、前記回線切替部は前記通信装置が使用する回線である専用線とＩＳＤＮ網との切り替えを行い、前記通信制御部はデータの送受信制御を行い、前記ＩＳＤＮ端末は、ＩＳＤＮ接続部と、Ｄチャネル制御部と、通信制御部とを有し、前記ＩＳＤＮ端末のＩＳＤＮ接続部は、前記ＩＳＤＮ網とのインタフェース接続と、ＩＳＤＮ網の２つのＢチャネルおよびＤの分離多重を行い、前記Ｄチャネル制御部は前記ＩＳＤＮ網のＤチャネルを使用して前記ＩＳＤＮ網との間で呼制御を行い、前記通信制御部はデータの送受信制御を行い、前記通信装置から前記Ｂチャネルに対する接続要求を前記Ｄチャネル制御部が受けると、前記２つのＢチャネルの使用状況を検知し、前記接続要求されているＢチャネルが前記１以上のＩＳＤＮ端末により使用されている場合は、前記Ｂチャネルを使用しているＩＳＤＮ端末に前記使用されているＢチャネルに対して解放要求を行って通信を中止させて前記使用されているＢチャネルを解放し、前記通信装置に対して、前記Ｂチャネルが解放された旨の通知を行い、前記通信装置は、前記専用線の状況を検知し、前記専用線における障害を検出した際に前記Ｂチャネルに対する接続要求を行い、前記ＩＳＤＮ網から、前記Ｂチャネルが解放された旨の通知を受け取ると、前記ＩＳＤＮ網に対して前記Ｂチャネルの接続要求を再度行い、回線接続を前記ＩＳＤＮ網に設定することを特徴とする。
【０００８】
また、請求項２記載の発明によれば、ＩＳＤＮ網または、専用線および前記ＩＳＤＮ網のいずれか一方に回線接続し通信を行う通信装置と、前記ＩＳＤＮ網を使用する１つ以上のＩＳＤＮ端末と、を有するバックアップ回線制御システムを用いたバックアップ回線制御方法であって、前記ＩＳＤＮ網は、データを送受信する２本のＢチャネルと制御信号を送受信するＤチャネルとを有し、前記通信装置は、障害検出部と、ＩＳＤＮ接続部と、Ｄチャネル制御部と、回線切替部と、通信制御部とを有し、前記ＩＳＤＮ端末は、ＩＳＤＮ接続部と、Ｄチャネル制御部と、通信制御部とを有し、前記通信装置は、前記専用線に発生した障害を検出する障害検出工程と、該障害検出工程により前記専用線における障害を検出した場合、前記Ｂチャネルに接続要求する呼設定メッセージを送信する第１の呼設定メッセージ送信工程と、該第１の呼設定メッセージ送信工程により接続要求したＢチャネルが解放されていることを示す解放メッセージを受信した場合、前記呼設定メッセージを再度送信する第２の呼設定メッセージ送信工程と、前記ＩＳＤＮ網に接続することが許可されたことを示す接続メッセージを受信した場合、前記ＩＳＤＮ網に回線接続を設定するＩＳＤＮ網接続工程と、を有し、前記ＩＳＤＮ網は、前記呼設定メッセージ工程により前記呼設定メッセージを受信した際、前記接続要求されているＢチャネルが前記ＩＳＤＮ端末に接続されているか否かを判定するＢチャネル判定工程と、該Ｂチャネル判定工程により前記要求されているＢチャネルが前記ＩＳＤＮ端末に接続されていると判定された場合、前記要求されているＢチャネルが使用中であることを示す解放完了メッセージを、前記通信装置と前記ＩＳＤＮ端末とに送信する解放完了メッセージ送信工程と、前記ＩＳＤＮ端末と前記接続されているＢチャネルとの接続の切断を要求する切断メッセージを、前記ＩＳＤＮ端末から受信した場合、前記接続されているＢチャネルを解放するＢチャネル解放工程と、該Ｂチャネル解放工程により前記接続されているＢチャネルが解放された場合、前記解放メッセージを前記通信装置と前記ＩＳＤＮ端末とに送信する解放メッセージ送信工程と、前記Ｂチャネル判定工程により前記要求されているＢチャネルが解放されていると判定された場合、前記接続メッセージを、前記通信装置に送信する接続メッセージ送信工程と、を有し、前記ＩＳＤＮ端末は、前記解放完了メッセージを受信した場合、前記切断メッセージを送信する切断メッセージ送信工程を有し、前記解放完了メッセージ送信工程は、前記Ｂチャネル判定工程により前記通信端末から接続要求されているＢチャネルの本数が、前記解放されているＢチャネルの本数よりも多いと判定された場合、前記解放完了メッセージを前記通信装置と前記ＩＳＤＮ端末とに送信することを特徴とするバックアップ回線制御方法が得られる。
【０００９】
また、請求項３記載の発明によれば、ＩＳＤＮ網または、専用線および前記ＩＳＤＮ網のいずれか一方に回線接続し通信を行う通信装置と、前記ＩＳＤＮ網を使用する１つ以上のＩＳＤＮ端末と、を有するバックアップ回線制御システムに処理を実行させるためのプログラムであって、前記ＩＳＤＮ網は、データを送受信する２本のＢチャネルと制御信号を送受信するＤチャネルとを有し、前記通信装置は、障害検出部と、ＩＳＤＮ接続部と、Ｄチャネル制御部と、回線切替部と、通信制御部とを有し、前記ＩＳＤＮ端末は、ＩＳＤＮ接続部と、Ｄチャネル制御部と、通信制御部とを有し、前記通信装置に、前記専用線に発生した障害を検出する障害検出処理と、該障害検出処理により前記専用線における障害を検出した場合、前記Ｂチャネルに接続要求する呼設定メッセージを送信する第１の呼設定メッセージ送信処理と、該第１の呼設定メッセージ送信処理により接続要求したＢチャネルが解放されていることを示す解放メッセージを受信した場合、前記呼設定メッセージを再度送信する第２の呼設定メッセージ送信処理と、前記ＩＳＤＮ網に接続することが許可されたことを示す接続メッセージを受信した場合、前記ＩＳＤＮ網に回線接続を設定するＩＳＤＮ網接続処理と、を実行させ、前記ＩＳＤＮ網に、前記呼設定メッセージ処理により前記呼設定メッセージを受信した際、前記接続要求されているＢチャネルが前記ＩＳＤＮ端末に接続されているか否かを判定するＢチャネル判定処理と、該Ｂチャネル判定処理により前記要求されているＢチャネルが前記ＩＳＤＮ端末に接続されていると判定された場合、前記要求されているＢチャネルが使用中であることを示す解放完了メッセージを、前記通信装置と前記ＩＳＤＮ端末とに送信する解放完了メッセージ送信処理と、前記ＩＳＤＮ端末と前記接続されているＢチャネルとの接続の切断を要求する切断メッセージを、前記ＩＳＤＮ端末から受信した場合、前記接続されているＢチャネルを解放するＢチャネル解放処理と、該Ｂチャネル解放処理により前記接続されているＢチャネルが解放された場合、前記解放メッセージを前記通信装置と前記ＩＳＤＮ端末とに送信する解放メッセージ送信処理と、前記Ｂチャネル判定処理により前記要求されているＢチャネルが解放されていると判定された場合、前記接続メッセージを、前記通信装置に送信する接続メッセージ送信処理と、を実行させ、前記ＩＳＤＮ端末に、前記解放完了メッセージを受信した場合、前記切断メッセージを送信する切断メッセージ送信処理とを有し、前記呼設定メッセージと、前記解放完了メッセージと、前記切断メッセージと、前記解放メッセージと、前記接続メッセージとは、前記Ｄチャネル上の呼制御手順を用いて送受信され、前記解放完了メッセージ送信処理は、前記Ｂチャネル判定処理により前記通信端末から接続要求されているＢチャネルの本数が、前記解放されているＢチャネルの本数よりも多いと判定された場合、前記解放完了メッセージを前記通信装置と前記ＩＳＤＮ端末とに送信し、前記解放完了メッセージ送信処理は、前記Ｂチャネル判定処理により前記通信端末から接続要求されているＢチャネルの本数が、前記解放されているＢチャネルの本数よりも多いと判定された場合、前記解放完了メッセージを前記通信装置と前記ＩＳＤＮ端末とに送信することを特徴とするプログラムが得られる。
【００２８】
【発明の実施の形態】
（実施形態の構成）
図１は、本発明の一実施形態におけるバックアップ回線制御システムの構成を示す図である。以下、図１を用いて、本実施形態におけるバックアップ回線制御システムの構成および動作について説明する。
【００２９】
本実施形態におけるバックアップ回線制御システムは、通信装置１とＩＳＤＮ端末２と、専用線３と、ＩＳＤＮ網４と、を有する。通信装置１は、専用線３と接続されている。また、通信装置１およびＩＳＤＮ端末２は、それぞれＩＳＤＮ網４に接続されている。なお、図１では、簡単のために、ＩＳＤＮ網４に接続されているＩＳＤＮ端末は、ＩＳＤＮ端末２だけとしているが、複数のＩＳＤＮ端末がバス接続されているとしてよい。
【００３０】
ＩＳＤＮ網４は、２本のＢチャネル（以下、それぞれチャネルＢ１、Ｂ２とする）と、１本のＤチャネル（以下、チャネルＤとする）と、を有する。チャネルＢ１、Ｂ２は、データの送受信を行う情報チャネルとして使用される。また、チャネルＤは、制御信号の送受信を行う制御チャネルとして使用される。
【００３１】
通常（専用線３に障害が発生していない場合）、通信装置１は、専用線３を使用して通信を行う。また、通信装置１は、断線等の理由により専用線３に障害が発生した場合、ＩＳＤＮ網４をバックアップ回線として使用する。
【００３２】
また、通信装置１は、障害検出部５と、ＩＳＤＮ接続部６と、Ｄチャネル制御部７と、回線切替部８と、通信制御部９と、を有する。
【００３３】
障害検出部５は、専用線３に発生した障害を検出する。ＩＳＤＮ接続部６は、ＩＳＤＮ網４とのインタフェース接続を行う。また、ＩＳＤＮ接続部６は、ＩＳＤＮ網４のチャネルＢ１、Ｂ２、Ｄの分離多重を行う。Ｄチャネル制御部７は、ＩＳＤＮ網４のチャネルＤを使用してＩＳＤＮ網４との間で呼制御を行う。回線切替部８は、通信装置１が使用する回線（専用線３／ＩＳＤＮ網４）の切り替えを行う。通信制御部９は、データの送受信制御を行う。
【００３４】
通常、ＩＳＤＮ端末２は、ＩＳＤＮ網４を使用して通信を行う。また、ＩＳＤＮ端末２は、ＩＳＤＮ接続部１０と、Ｄチャネル制御部１１と、通信制御部１２と、を有する。
【００３５】
ＩＳＤＮ接続部１０は、ＩＳＤＮ網４とのインタフェース接続を行う。また、ＩＳＤＮ接続部１０は、ＩＳＤＮ網４のチャネルＢ１、Ｂ２、Ｄの分離多重を行う。Ｄチャネル制御部１１は、ＩＳＤＮ網４のチャネルＤを使用してＩＳＤＮ網４との間で呼制御を行う。通信制御部１２は、データの送受信制御を行う。
【００３６】
（実施形態の動作）
図２は、本発明の一実施形態のバックアップ回線制御システムにおいて、専用線３に障害が発生した際の制御信号（メッセージ）の送受信を示すシーケンスである。以下、図１を用い、図２に沿って、本実施形態のバックアップ回線制御システムにおける動作と制御信号の送受信とを説明する。なお、以下に示す通信装置１、ＩＳＤＮ端末２、およびＩＳＤＮ網４間における各制御信号の送受信は、ＩＳＤＮ網４のＤチャネル上の呼制御手順を使用して行われる。
【００３７】
本実施形態では、ＩＳＤＮ端末２がＩＳＤＮ網４のチャネルＢ１、Ｂ２を使用して通信を行っている際に、障害検出部５が専用線３の障害を検出したとする。通信装置１は、発呼のための呼設定メッセージをＩＳＤＮ網４に送信する（Ａ１→Ｂ１）。通信装置１は、呼設定メッセージをＩＳＤＮ網４に送信することにより、ＩＳＤＮ網４のＢチャネルに接続要求を行う。
【００３８】
ＩＳＤＮ端末２は、ＩＳＤＮ網４のチャネルＢ１、Ｂ２を使用している。従って、ＩＳＤＮ網４のＢチャネルにおける未使用のチャネル（空きＢチャネル）は存在せず、通信装置１がＩＳＤＮ網４のＢチャネルを使用することは不可能である。ＩＳＤＮ網４は、通信装置１から呼設定メッセージを受信すると、「利用可回線チャネルなし」の理由コードを含む解放完了メッセージを通信装置１に返信する（Ｂ２→Ａ２）。
【００３９】
また、ＩＳＤＮ網４は、「利用可回線チャネルなし」の理由コードを含む解放完了メッセージをＩＳＤＮ端末２にも同様に送信する（Ｂ３→Ｃ１）。
【００４０】
ＩＳＤＮ端末２は、ＩＳＤＮ網４から「利用可回線チャネルなし」の理由コードを含む解放完了メッセージを受信すると、ＩＳＤＮ網４に対する回線切断のための切断メッセージをＩＳＤＮ網４に送信する（Ｃ２→Ｂ４）。
【００４１】
ＩＳＤＮ網４は、ＩＳＤＮ端末２から切断メッセージを受信すると、上記の切断メッセージにより切断要求されたＢチャネルを解放する。ＩＳＤＮ網４は、Ｂチャネル解放後、Ｂチャネルが解放されている旨を通知するための解放メッセージをＩＳＤＮ端末２に返信する（Ｂ５→Ｃ３）。
【００４２】
ＩＳＤＮ端末２は、解放メッセージを受信すると、自身が使用していたＢチャネルが解放されたことを認識する。
【００４３】
ＩＳＤＮ網４は、解放メッセージを通信装置１にも同様に送信する（Ｂ６→Ａ３）。
【００４４】
通信装置１は、空きＢチャネルがない旨を通知するための解放完了メッセージ受信後に、Ｂチャネルが解放された旨を通知するための解放メッセージを受信すると、ＩＳＤＮ網４のＢチャネルに空きＢチャネルが存在することを認識する。通信装置１は、空きＢチャネルの存在を認識すると、空きＢチャネルに対する回線接続のための呼設定メッセージをＩＳＤＮ網４に送信し、再発信を行う（Ａ４→Ｂ７）。
【００４５】
ＩＳＤＮ網４は、通信装置１から呼設定メッセージを受信すると、通信装置１とＩＳＤＮ網４の空きＢチャネルとの接続処理を行う。通信装置１と空きＢチャネルとの接続後、ＩＳＤＮ網４は、通信装置１と空きＢチャネルとの接続が完了した旨を通知するための接続メッセージを通信装置１に送信する（Ｂ８→Ａ５）。
【００４６】
通信装置１は、ＩＳＤＮ網４から接続メッセージを受信すると、空きＢチャネルと接続されたことを認識する。通信装置１は、空きＢチャネルとの接続認識後、専用線３側からＩＳＤＮ網４側へ回線接続を切り替え、データの送受信を開始する。
【００４７】
図３および図４は、本発明の一実施形態におけるバックアップ回線制御システムの動作の流れを示すフローチャートである。以下、図１を用い、図３および図４に沿って、本実施形態におけるバックアップ回線制御システムの動作について説明する。なお、本実施形態では、通信装置１は、ＩＳＤＮ網４における１本のＢチャネルに対してバックアップ回線接続を要求するものとする。
【００４８】
通信装置１が通信制御部９の制御により専用線３を使用して通信を行っている際、障害検出部５は、専用線３に発生した障害を検出したか否かを判断する（ステップＳ３０１）。障害検出部５は、専用線３の障害を検出していないと判断した場合（ステップＳ３０１／Ｎｏ）、ステップＳ３０１の工程が繰り返される。
【００４９】
障害検出部５は、専用線３の障害を検出したと判断した場合（ステップＳ３０１／Ｙｅｓ）、障害検出部５は、回線切替部８に対して、専用線３に障害が発生し、通信装置１が専用線３を使用して通信を行うことが不可能である旨を通知する（ステップＳ３０２）。
【００５０】
回線切替部８は、障害検出部５から専用線３に障害が発生した旨の通知を受けると、Ｄチャネル制御部７に対して、接続回線のバックアップのためのＩＳＤＮ網４への回線接続要求を送信する（ステップＳ３０３）。
【００５１】
Ｄチャネル制御部７は、回線切替部８からＩＳＤＮ回線接続要求を受けると、ＩＳＤＮ接続部６を介して、ＩＳＤＮ網４に対して、回線接続要求のための呼設定メッセージを送信する（ステップＳ３０４）。
【００５２】
ＩＳＤＮ網４は、Ｄチャネル制御部７から呼設定メッセージを受信したか否かを判断する（ステップＳ３０５）。ＩＳＤＮ網４は、呼設定メッセージを受信していないと判断した場合（ステップＳ３０５／Ｎｏ）、ステップＳ３０５の工程が繰り返される。
【００５３】
ＩＳＤＮ網４は、Ｄチャネル制御部７から呼設定メッセージを受信したと判断した場合（ステップＳ３０５／Ｙｅｓ）、ＩＳＤＮ網４は、チャネルＢ１、Ｂ２のうち少なくとも一方が空きＢチャネルとなっているか否かを判断する（ステップＳ３０６）。
【００５４】
ＩＳＤＮ網４が、チャネルＢ１、Ｂ２のうち少なくとも一方が空きＢチャネルであると判断した場合（ステップＳ３０６／Ｙｅｓ）、ＩＳＤＮ網４は、通信装置１と空きＢチャネルとの接続を行う。さらに、ＩＳＤＮ網４は、通信装置１と空きＢチャネルとの回線接続が完了した旨を示す接続メッセージを、ＩＳＤＮ接続部６を介してＤチャネル制御部７に送信する（ステップＳ３０７）。
【００５５】
Ｄチャネル制御部７は、ＩＳＤＮ接続部６を介してＩＳＤＮ網４から接続メッセージを受信したか否かを判断する（ステップＳ３０８）。Ｄチャネル制御部７は、接続メッセージを受信していないと判断した場合（ステップＳ３０８／Ｎｏ）、ステップＳ３０８の工程が繰り返される。
【００５６】
Ｄチャネル制御部７は、接続メッセージを受信したと判断した場合（ステップＳ３０８／Ｙｅｓ）、Ｄチャネル制御部７は、通信装置１とＩＳＤＮ網４のＢチャネルにおける空きＢチャネルとの回線接続が完了した旨を回線切替部８に通知する（ステップＳ３０９）。
【００５７】
回線切替部８は、Ｄチャネル制御部７から通信装置１と空きＢチャネルとの回線接続が完了した旨の通知を受信すると、回線接続を、専用線３側からＩＳＤＮ網４側に切り替える（ステップＳ３１０）。上記のようにＩＳＤＮ網４側に回線接続を切り替えることにより、通信制御部９は、ＩＳＤＮ網４をバックアップ回線として使用し、データの送受信を行うことが可能となる。
【００５８】
ＩＳＤＮ網４が、チャネルＢ１、Ｂ２ともに使用中であると判断した場合（ステップＳ３０６／Ｎｏ）、図４に遷移し、ＩＳＤＮ網４は、「利用可回線チャネルなし」の理由コードを含む解放完了メッセージを、ＩＳＤＮ接続部６を介してＤチャネル制御部７に送信する。Ｄチャネル制御部７は、「利用可回線チャネルなし」の理由コードを含む解放完了メッセージを受信すると、ＩＳＤＮ網４のＢチャネルにおける空きＢチャネルが存在しないことを認識する。同様に、ＩＳＤＮ網４は、ＩＳＤＮ接続部１０を介してＤチャネル制御部１１にも「利用可回線チャネルなし」の理由コードを含む解放完了メッセージを、ＩＳＤＮ接続部６を介してＤチャネル制御部７に送信する（ステップＳ４０１）。
【００５９】
Ｄチャネル制御部１１は、「利用可回線チャネルなし」の理由コードを含む解放完了メッセージを、ＩＳＤＮ接続部１０を介して受信したか否かを判断する（ステップＳ４０２）。Ｄチャネル制御部１１は、「利用可回線チャネルなし」の理由コードを含む解放完了メッセージを受信していないと判断した場合（ステップＳ４０２／Ｎｏ）、ステップＳ４０２の工程が繰り返される。
【００６０】
Ｄチャネル制御部１１は、「利用可回線チャネルなし」の理由コードを含む解放完了メッセージを受信したと判断した場合（ステップＳ４０２／Ｙｅｓ）、Ｄチャネル制御部１１は、通信制御部１２に対して、回線切断の旨を通知する（ステップＳ４０３）。
【００６１】
通信制御部１２は、Ｄチャネル制御部１１から回線切断の通知を受けると、通信動作を中止する。さらに、通信制御部１２は、通信を中止した旨をユーザに対して通知する（ステップＳ４０４）。なお、ユーザへの通知手段としては、ＬＥＤあるいは所定のディスプレイ等を用いて表示してもよいし、音声等により報知してもよい。
【００６２】
また、Ｄチャネル制御部１１は、「利用可回線チャネル無し」の理由コードを含む解放完了メッセージ受信後、ＩＳＤＮ端末２が使用しているＩＳＤＮ網４のＢチャネルとの回線を切断要求するための切断メッセージを、ＩＳＤＮ接続部１０を介してＩＳＤＮ網４に送信する（ステップＳ４０５）。
【００６３】
ＩＳＤＮ網４は、Ｄチャネル制御部１１から切断メッセージを受信したか否かを判断する（ステップＳ４０６）。ＩＳＤＮ網４は、切断メッセージを受信していないと判断した場合（ステップＳ４０６／Ｎｏ）、ステップＳ４０６の工程が繰り返される。
【００６４】
ＩＳＤＮ網４は、Ｄチャネル制御部１１から切断メッセージを受信した場合（ステップＳ４０６／Ｙｅｓ）、Ｄチャネル制御部１１により切断要求されたＢチャネル（ＩＳＤＮ端末２により使用されていたＢチャネル）を解放する。また、ＩＳＤＮ網４は、切断メッセージに基づいてＢチャネルが解放された旨を示す解放メッセージを、ＩＳＤＮ接続部１０を介してＤチャネル制御部１１に送信する。Ｄチャネル制御部１１は、解放メッセージを受信することにより、ＩＳＤＮ端末２が使用していたＢチャネルが解放されたことを認識する。さらに、ＩＳＤＮ網４は、切断メッセージに基づいてＢチャネルが解放された旨を示す解放メッセージを、ＩＳＤＮ接続部６を介してＤチャネル制御部７に送信する（ステップＳ４０７）。
【００６５】
Ｄチャネル制御部７は、ＩＳＤＮ網４から解放メッセージを、ＩＳＤＮ接続部６を介して受信したか否かを判断する（ステップＳ４０８）。Ｄチャネル制御部７は、解放メッセージを受信していないと判断した場合（ステップＳ４０８／Ｎｏ）、ステップＳ４０８の工程が繰り返される。
【００６６】
Ｄチャネル制御部７は、ＩＳＤＮ網４から解放メッセージを、ＩＳＤＮ接続部６を介して受信したと判断した場合（ステップＳ４０８／Ｙｅｓ）、Ｄチャネル制御部７は、ステップＳ４０１において空きＢチャネルが存在しない旨の解放完了メッセージを受信していたことも考慮して、空きＢチャネルが発生したことを認識する。Ｄチャネル制御部７は、解放メッセージ受信後、再度ＩＳＤＮ網４の空きＢチャネルとの回線接続のための呼設定メッセージを、ＩＳＤＮ接続部６を介してＩＳＤＮ網４に送信する（ステップＳ４０９）。
【００６７】
ＩＳＤＮ網４は、Ｄチャネル制御部７から呼設定メッセージを受信したか否かを判断する（ステップＳ４１０）。ＩＳＤＮ網４は、呼設定メッセージを受信していないと判断した場合（ステップＳ４１０／Ｎｏ）、ステップＳ４１０の工程が繰り返される。
【００６８】
ＩＳＤＮ網４は、Ｄチャネル制御部７から呼設定メッセージを受信したと判断した場合（ステップＳ４１０／Ｙｅｓ）、ＩＳＤＮ網４は、通信装置１と空きＢチャネルとの接続を行う。さらに、ＩＳＤＮ網４は、通信装置１と空きＢチャネルとの回線接続が完了した旨を示す接続メッセージを、ＩＳＤＮ接続部６を介してＤチャネル制御部７に送信する（ステップＳ４１１）。
【００６９】
Ｄチャネル制御部７は、ＩＳＤＮ接続部６を介してＩＳＤＮ網４から接続メッセージを受信したか否かを判断する（ステップＳ４１２）。Ｄチャネル制御部７は、接続メッセージを受信していないと判断した場合（ステップＳ４１２／Ｎｏ）、ステップＳ４１２の工程が繰り返される。
【００７０】
Ｄチャネル制御部７は、接続メッセージを受信したと判断した場合（ステップＳ４１２／Ｙｅｓ）、Ｄチャネル制御部７は、通信装置１とＩＳＤＮ網４のＢチャネルにおける空きＢチャネルとの回線接続が完了した旨を回線切替部８に通知する（ステップＳ４１３）。
【００７１】
回線切替部８は、Ｄチャネル制御部７から通信装置１と空きＢチャネルとの回線接続が完了した旨の通知を受信すると、回線接続を、専用線３側からＩＳＤＮ網４側に切り替える（ステップＳ４１４）。上記のようにＩＳＤＮ網４側に回線接続を切り替えることにより、通信制御部９は、ＩＳＤＮ網４をバックアップ回線として使用し、データの送受信を行うことが可能となる。
【００７２】
なお、本実施形態では、通信装置１は、専用線３障害発生時のバックアップ回線として、ＩＳＤＮ網４における１本のＢチャネル（チャネルＢ１、Ｂ２のうちいずれか１本）に対して接続要求を行ったが、バックアップ回線として２本のＢチャネル（チャネルＢ１、Ｂ２両方）に対して接続要求を行ってもよい。
【００７３】
通信装置１が１本のＢチャネルとの接続要求を行い、ＩＳＤＮ網４に１本の空きＢチャネルが存在する場合、ＩＳＤＮ端末２は、使用しているＢチャネルを切断する必要はない。一方、通信装置１が２本のＢチャネルとの接続要求を行い、ＩＳＤＮ網４に空きＢチャネルが１本だけ存在する場合、ＩＳＤＮ端末２は、使用しているＢチャネルの切断要求をＩＳＤＮ網４に対して送信する。つまり、通信装置１が接続要求するＢチャネルの本数が、空きＢチャネルの本数よりも多い場合のみ、使用中のＢチャネルの解放が行われる。
【００７４】
また、通信装置１は、専用線３に発生した障害を検出する障害検出処理と、障害検出処理により専用線３における障害を検出した場合、呼設定メッセージを送信する第１の呼設定メッセージ送信処理と、解放メッセージを受信した場合、呼設定メッセージを再度送信する第２の呼設定メッセージ送信処理と、接続メッセージを受信した場合、ＩＳＤＮ網４に回線接続を設定するＩＳＤＮ網接続処理と、を行う。ＩＳＤＮ網４は、呼設定メッセージを受信した際、接続要求されているＢチャネルがＩＳＤＮ端末２に接続されているか否かを判定するＢチャネル判定処理と、Ｂチャネル判定処理により要求されているＢチャネルがＩＳＤＮ端末２に接続されていると判定された場合、解放完了メッセージを通信装置１とＩＳＤＮ端末２とに送信する解放完了メッセージ送信処理と、切断メッセージをＩＳＤＮ端末２から受信した場合、接続されているＢチャネルを解放するＢチャネル解放処理と、Ｂチャネル解放処理により接続されているＢチャネルが解放された場合、解放メッセージを通信装置１とＩＳＤＮ端末２とに送信する解放メッセージ送信処理と、Ｂチャネル判定処理により要求されているＢチャネルが解放されていると判定された場合、接続メッセージを通信装置１に送信する接続メッセージ送信処理と、を行う。ＩＳＤＮ端末２は、解放完了メッセージを受信した場合、切断メッセージを送信する切断メッセージ送信処理を行う。上記の処理は、通信装置１、ＩＳＤＮ端末２、およびＩＳＤＮ網４が有するコンピュータプログラムにより実行されるが、上記のプログラムは、光ディスクあるいは磁気ディスク等の記録媒体に記録され、上記の記録媒体からロードされるようにしてもよい。
【００７５】
なお、上記の実施形態は本発明の好適な実施の一例であり、本発明の実施形態は、これに限定されるものではなく、本発明の要旨を逸脱しない範囲において種々変形して実施することが可能となる。
【００７６】
【発明の効果】
以上説明したように、本発明によれば、通信装置からＩＳＤＮ網に回線接続要求が送信された際に空きＢチャネルが存在しない場合、ＩＳＤＮ網は、Ｂチャネルを使用中のＩＳＤＮ端末に通信を中止させ、使用中のＢチャネルを解放することによって、専用線に障害が発生した際、通信装置がバックアップ回線としてＩＳＤＮ網を使用することが可能となる。
【００７７】
また、本発明によれば、Ｄチャネル上の呼制御手順を使用してＢチャネルの解放および再発信を行うことによって、複雑なハードウェアを必要とせず、既存の構成により回線のバックアップを行うことが可能となる。
【図面の簡単な説明】
【図１】本発明の一実施形態におけるバックアップ回線制御システムの構成を示す図である。
【図２】本発明の一実施形態のバックアップ回線制御システムにおける各メッセージの送受信を示すシーケンスである。
【図３】本発明の一実施形態におけるバックアップ回線制御システムの動作の流れを示すフローチャートである。
【図４】本発明の一実施形態におけるバックアップ回線制御システムの動作の流れを示すフローチャートである。
【符号の説明】
１  通信装置
２  ＩＳＤＮ端末
３  専用線
４  ＩＳＤＮ網
５  障害検出部
６、１０  ＩＳＤＮ接続部
７、１１  Ｄチャネル制御部
８  回線切替部
９、１２  通信制御部
【図１】
0003685095.tif 000002
【図２】
0003685095.tif 000003
【図３】
0003685095.tif 000004
【図４】
0003685095.tif 000005